(57)【要約】【課題】利用する通信システムを迅速に切り替えられる無線端末装置及びその制御方法を提供すること。【解決手段】利用中の通信システムにおける通信処理の種別に応じて、高速クロック生成部８１と低速クロック生成部８２とを切り替えて用いる携帯電話機１は、ＣＤＭＡの通信システムでの通信処理からＬＴＥの通信システムでの通信処理へ切り替わったとき、ＣＤＭＡの通信システムの時刻情報を記憶する記憶部７０と、ＣＤＭＡの通信システムの時刻情報が記憶されており、かつ、ＬＴＥの通信システムにおいて高速クロック生成部８１を用いている場合、ＬＴＥの通信システムでの通信処理からＣＤＭＡの通信システムでの通信処理へ切り替わったとき、記憶されているＣＤＭＡの通信システムの時刻情報に対して、ＬＴＥの通信システムで計時された時間を用いて補正する通信処理部３１と、を備える。【選択図】図２
2012175538.tif 000002
【特許請求の範囲】
【請求項１】
第１のクロックと、当該第１のクロックよりも精度が低いが消費電力が小さい第２のクロックとを有し、利用中の通信システムにおける通信処理の種別に応じて、前記第１のクロックと前記第２のクロックとを切り替えて用いる無線端末装置であって、
第１の通信システムでの通信処理から第２の通信システムでの通信処理へ切り替わったとき、前記第１の通信システムの時刻情報を記憶する記憶部と、
前記記憶部により前記第１の通信システムの時刻情報が記憶されており、かつ、前記第２の通信システムにおいて前記第１のクロックを用いている場合、前記第２の通信システムでの通信処理から前記第１の通信システムでの通信処理へ切り替わったとき、記憶されている前記第１の通信システムの時刻情報に対して、前記第２の通信システムで計時された時間を用いて補正する通信処理部と、を備える無線端末装置。
【請求項２】
前記通信処理部は、前記補正された時刻情報に基づく同期タイミングにより、前記第１の通信システムへハンドオフする請求項１に記載の無線端末装置。
【請求項３】
基地局とのデータ通信を伴うＧＰＳ測位処理のうち、基地局信号強度の取得時には、前記第１の通信システムを選択し、衛星探索時及び位置計算時には、前記第２の通信システムを選択する測位処理部を備え、
前記通信処理部は、前記衛星探索時に前記第１のクロックによる計時を継続し、基地局信号強度の取得時に、前記記憶部に記憶されている前記第１の通信システムの時刻情報に対して、当該計時された時間を用いて補正する請求項２に記載の無線端末装置。
【請求項４】
前記第２の通信システムでの通信処理中に、当該第２の通信システムを介して前記第１の通信システムからの着信通知を受信すると、当該第１の通信システムを選択して着信動作を行う着信処理部を備える請求項３に記載の無線端末装置。
【請求項５】
前記記憶部は、前記ＧＰＳ測位処理が実行中であるか否かを示す状態フラグを記憶し、
前記通信処理部は、前記着信処理部により前記第１の通信システムが選択されたとき、前記状態フラグを参照し、前記ＧＰＳ測位処理が実行中である場合、前記第１の通信システムへハンドオフし、前記ＧＰＳ測位処理が実行中でない場合、前記第１の通信システムとの同期処理を行う請求項４に記載の無線端末装置。
【請求項６】
前記第１の通信システムは、ＣＤＭＡ方式であり、前記第２の通信システムは、ＬＴＥ方式である請求項１から請求項５のいずれか１項に記載の無線端末装置。
【請求項７】
第１のクロックと、当該第１のクロックよりも精度が低いが消費電力が小さい第２のクロックとを有し、利用中の通信システムにおける通信処理の種別に応じて、前記第１のクロックと前記第２のクロックとを切り替えて用いる無線端末装置の制御方法であって、前記無線端末装置が、
第１の通信システムでの通信処理から第２の通信システムでの通信処理へ切り替わったとき、前記第１の通信システムの時刻情報を記憶する記憶ステップと、
前記記憶ステップで前記第１の通信システムの時刻情報が記憶されており、かつ、前記第２の通信システムにおいて前記第１のクロックを用いている場合、前記第２の通信システムでの通信処理から前記第１の通信システムでの通信処理へ切り替わったとき、記憶されている前記第１の通信システムの時刻情報に対して、前記第２の通信システムで計時された時間を用いて補正する通信処理ステップと、を含む制御方法。
【発明の詳細な説明】
【技術分野】
【０００１】
本発明は、複数の通信システムを利用する無線端末装置及びその制御方法に関する。
【背景技術】
【０００２】
従来、携帯電話機等の無線端末装置は、異なるプロトコルを用いる複数の通信システムに対応している場合も多い。この場合、無線端末装置は、例えば、音声通信及びデータ通信に使用されるＣＤＭＡ２０００＿１ｘ（以下、１ｘと呼ぶ）に対して、より高速なデータ通信が可能なＥＶＤＯやＬＴＥ等にも対応し、電波状況や通信種別等に応じて通信システムを選択する。このような状況において、ネットワークから切断後に再接続を行う場合に、通信システムの選択を迅速に行う方法も提案されている（例えば、特許文献１参照）。
【０００３】
また、高周波回路が１系統の無線端末装置では、例えば、ＬＴＥの通信システムと１ｘの通信システムとの双方を同時に利用することができない。そのため、無線端末装置は、ＬＴＥを利用中に、１ｘのページングチャネルを取得できず、着信の有無を知ることができなかった。そこで、３ＧＰＰ  ＴＳ  ２３．２７２において、ＣＳ  Ｆａｌｌｂａｃｋ機能が規定され、この機能により、ＬＴＥで１ｘからの着信要求を通知することができる（例えば、非特許文献１参照）。
【０００４】
ところで、無線端末装置は、２種類のクロックを有し、相対的に精度が高いが消費電力が大きい高速クロックと、精度が低いが消費電力が小さい低速クロックとを、処理状態に応じて使い分ける場合がある。例えば、無線端末装置は、１ｘの通信システムにおいて、着信通知を所定の周期で監視する際、監視と監視の間で高速クロックを停止し、低速クロックに切り替えることにより消費電力を低減させる。
【先行技術文献】
【特許文献】
【０００５】
【特許文献１】特開２０１０−８１２５６号公報
【非特許文献】
【０００６】
【非特許文献１】３ＧＰＰ  ＴＳ  ２３．２７２  Ｖ１０．１．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１０−０９
【発明の概要】
【発明が解決しようとする課題】
【０００７】
しかしながら、低速クロックは、精度が低いため、監視の周期が長くなるほど誤差が生じ、監視タイミングにおいて同期が外れ、システムロストとなりやすい。したがって、長時間１ｘの監視を行わない場合、例えば、ＬＴＥでのデータ通信が長時間継続した場合には、１ｘの通信システムへ切り替える際に同期処理が必要となる。その結果、切り替え先である１ｘの通信システムで通信を開始するまでに時間が掛かっていた。特に、上述のＣＳ  Ｆａｌｌｂａｃｋ機能により着信が通知された際に１ｘの通信システムへ切り替える場合、この着信への応答が遅延する課題があった。
【０００８】
本発明は、利用する通信システムを迅速に切り替えられる無線端末装置及びその制御方法を提供することを目的とする。
【課題を解決するための手段】
【０００９】
本発明に係る無線端末装置は、第１のクロックと、当該第１のクロックよりも精度が低いが消費電力が小さい第２のクロックとを有し、利用中の通信システムにおける通信処理の種別に応じて、前記第１のクロックと前記第２のクロックとを切り替えて用いる無線端末装置であって、第１の通信システムでの通信処理から第２の通信システムでの通信処理へ切り替わったとき、前記第１の通信システムの時刻情報を記憶する記憶部と、前記記憶部により前記第１の通信システムの時刻情報が記憶されており、かつ、前記第２の通信システムにおいて前記第１のクロックを用いている場合、前記第２の通信システムでの通信処理から前記第１の通信システムでの通信処理へ切り替わったとき、記憶されている前記第１の通信システムの時刻情報に対して、前記第２の通信システムで計時された時間を用いて補正する通信処理部と、を備える。
【００１０】
また、前記通信処理部は、前記補正された時刻情報に基づく同期タイミングにより、前記第１の通信システムへハンドオフすることが好ましい。
【００１１】
また、本発明に係る無線端末装置は、基地局とのデータ通信を伴うＧＰＳ測位処理のうち、基地局信号強度の取得時には、前記第１の通信システムを選択し、衛星探索時及び位置計算時には、前記第２の通信システムを選択する測位処理部を備え、前記通信処理部は、前記衛星探索時に前記第１のクロックによる計時を継続し、基地局信号強度の取得時に、前記記憶部に記憶されている前記第１の通信システムの時刻情報に対して、当該計時された時間を用いて補正することが好ましい。
【００１２】
また、本発明に係る無線端末装置は、前記第２の通信システムでの通信処理中に、当該第２の通信システムを介して前記第１の通信システムからの着信通知を受信すると、当該第１の通信システムを選択して着信動作を行う着信処理部を備えることが好ましい。
【００１３】
また、前記記憶部は、前記ＧＰＳ測位処理が実行中であるか否かを示す状態フラグを記憶し、前記通信処理部は、前記着信処理部により前記第１の通信システムが選択されたとき、前記状態フラグを参照し、前記ＧＰＳ測位処理が実行中である場合、前記第１の通信システムへハンドオフし、前記ＧＰＳ測位処理が実行中でない場合、前記第１の通信システムとの同期処理を行うことが好ましい。
【００１４】
また、前記第１の通信システムは、ＣＤＭＡ方式であり、前記第２の通信システムは、ＬＴＥ方式であることが好ましい。
【００１５】
本発明に係る制御方法は、第１のクロックと、当該第１のクロックよりも精度が低いが消費電力が小さい第２のクロックとを有し、利用中の通信システムにおける通信処理の種別に応じて、前記第１のクロックと前記第２のクロックとを切り替えて用いる無線端末装置の制御方法であって、前記無線端末装置が、第１の通信システムでの通信処理から第２の通信システムでの通信処理へ切り替わったとき、前記第１の通信システムの時刻情報を記憶する記憶ステップと、前記記憶ステップで前記第１の通信システムの時刻情報が記憶されており、かつ、前記第２の通信システムにおいて前記第１のクロックを用いている場合、前記第２の通信システムでの通信処理から前記第１の通信システムでの通信処理へ切り替わったとき、記憶されている前記第１の通信システムの時刻情報に対して、前記第２の通信システムで計時された時間を用いて補正する通信処理ステップと、を含む。
【発明の効果】
【００１６】
本発明によれば、無線端末装置は、利用する通信システムを迅速に切り替えられる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る時刻情報の補正方法の例を示す図である。
【図４】本発明の実施形態に係る測位処理の流れを示すシーケンス図である。
【図５】本発明の実施形態に係る第１のＣＤＭＡ通信フェーズにおける処理を示すフローチャートである。
【図６】本発明の実施形態に係るＬＴＥ通信フェーズにおける処理を示すフローチャートである。
【図７】本発明の実施形態に係る第２のＣＤＭＡ通信フェーズにおける処理を示すフローチャートである。
【図８】本発明の実施形態に係るＬＴＥ通信フェーズにおける着信処理を示すフローチャートである。
【発明を実施するための形態】
【００１８】
以下、本発明の好適な実施形態の一例について説明する。なお、本実施形態では、無線端末装置の一例として携帯電話機１を説明する。
【００１９】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２０】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２３】
図２は、本実施形態に係る携帯電話機１の機能を示すブロック図である。
携帯電話機１は、操作部１１と、表示部２１と、制御部３０と、通信部４０と、ＧＰＳ受信部５０と、音声制御部６０と、記憶部７０と、高速クロック生成部８１と、低速クロック生成部８２とを備える。
【００２４】
制御部３０は、携帯電話機１の全体を制御しており、例えば、表示部２１や通信部４０等の各部に対して所定の制御を行う。また、制御部３０は、操作部１１や通信部４０、ＧＰＳ受信部５０等から入力を受け付けて、各種処理を実行する。そして、制御部３０は、処理実行の際には、記憶部７０を制御し、各種プログラム及びデータの読み出し、及びデータの書き込みを行う。なお、本実施形態に係る制御部３０の詳細機能は後述する。
【００２５】
通信部４０は、所定の使用周波数帯（例えば、２ＧＨｚ帯や８００ＭＨｚ帯等）で外部装置（基地局）と通信を行う。そして、通信部４０は、メインアンテナ４１より受信した信号を復調処理し、処理後の信号を制御部３０に供給し、また、制御部３０から供給された信号を変調処理し、メインアンテナ４１から外部装置に送信する。
【００２６】
ここで、通信部４０は、本実施形態においては、音声及びデータ通信用の通信プロトコルであるＣＤＭＡ２０００＿１ｘあるいはＷ−ＣＤＭＡ（以下、ＣＤＭＡという）と、主に高速データ通信に用いられる通信プロトコルであるＬＴＥ（Ｌｏｎｇ  Ｔｅｒｍ  Ｅｖｏｌｕｔｉｏｎ）との双方に対応しており、いずれのプロトコルの通信システムでも通信可能である。通信部４０は、制御部３０からの指令に基づいて、いずれかのプロトコルにより基地局と通信を行う。
【００２７】
ＧＰＳ受信部５０は、ＧＰＳアンテナ５１により受信したＧＰＳ衛星からの所定周波数帯の電波信号を復調処理し、処理後の信号を制御部３０に供給する。なお、ＧＰＳ受信部５０及びＧＰＳアンテナ５１の機能は、それぞれ、通信部４０及びメインアンテナ４１が担ってもよい。
【００２８】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をメインアンテナ４１より出力する。
【００２９】
記憶部７０は、例えば、ワーキングメモリを含み、制御部３０による演算処理に利用される。また、本実施形態に係る各種プログラムの他、データ送受信のタイミングを同期させるための時刻情報や、後述のＧＰＳ測位における処理状態を示す状態フラグ、さらには、ＣＤＭＡの通信システムにおいて捕捉している周波数チャネル情報及び近隣基地局の信号強度情報等を記憶する。
【００３０】
高速クロック生成部８１及び低速クロック生成部８２は、時間経過を計測する部位である。高速クロック生成部８１は、低速クロック生成部８２よりも精度が高いが消費電力が大きい。制御部３０は、利用中の通信システムにおける通信処理の種別に応じて、高速クロック生成部８１と低速クロック生成部８２とを切り替えて用いる。
【００３１】
次に制御部３０の機能を詳述する。
制御部３０は、通信処理部３１と、測位処理部３２と、着信処理部３３とを備える。
【００３２】
通信処理部３１は、通信部４０を制御し、携帯電話機１が対応している通信システムのいずれかを用いた通信処理を実行する。
通信処理部３１は、例えば、音声通話の待ち受け状態からデータ通信を開始する場合等、ＣＤＭＡの通信システム（第１の通信システム）での通信処理からＬＴＥの通信システム（第２の通信システム）での通信処理へ切り替えるとき、ＣＤＭＡの通信システムにて同期して更新していた時刻情報（システムタイム）を記憶部７０に記憶しておく。また、通信処理部３１は、ＣＤＭＡの通信システムにおいて捕捉している周波数チャネル情報を記憶部７０に記憶しておく。
【００３３】
そして、通信処理部３１は、記憶部７０によりＣＤＭＡの通信システムの時刻情報が記憶されており、かつ、ＬＴＥの通信システムにおいて高速クロック生成部８１を用いている場合、ＬＴＥの通信システムでの通信処理からＣＤＭＡの通信システムでの通信処理へ切り替わったとき、記憶されているＣＤＭＡの通信システムの時刻情報に対して、ＬＴＥの通信システムで計時された時間を用いて補正する。続いて、通信処理部３１は、記憶部７０に記憶されている周波数チャネル情報に基づいて、補正された時刻情報に基づく同期タイミングにより、ＣＤＭＡの通信システムへハンドオフする。
【００３４】
図３は、本実施形態に係る時刻情報の補正方法の例を示す図である。
この例は、ＣＤＭＡの通信待ち受け状態から、ＬＴＥの通信状態を経て、再びＣＤＭＡの通信待ち受け状態へ復帰する場合を示している。
【００３５】
まず、ＣＤＭＡの通信待ち受け状態では、携帯電話機１は、省電力のため低速クロック生成部８２を利用して時間的同期を行い、所定周期でページングチャネルを監視している。この状態でＬＴＥの通信システムへの切り替えが発生すると、ＣＤＭＡの通信システムの監視を停止し、時刻情報の更新も停止する。このとき、携帯電話機１は、ＣＤＭＡの通信システムの停止時刻情報（６カウント）を記憶部７０に記憶する。
【００３６】
続いて、ＬＴＥの通信状態では、高精度の時刻情報が必要であるため、高速クロック生成部８１が用いられる。ＬＴＥの通信システムでの通信が終了し、再びＣＤＭＡの通信システムへ切り替わると、携帯電話機１は、記憶しておいた停止時刻情報（６カウント）に対して、高速クロック生成部８１により計時されていた時間（５カウント）を用いて補正して計時を再開する。
【００３７】
このように、ＣＤＭＡの通信システムの時刻情報は、高速クロック生成部８１により計時された時間で補正されるので、低速クロック生成部８２により計時されるよりも誤差が少ない。したがって、携帯電話機１は、ＣＤＭＡの通信システムへ復帰する際に、システムの捕捉及び同期処理を行わなくても、ページングチャネルを高確率で受信できる。
【００３８】
測位処理部３２は、基地局とのデータ通信を伴うＭＳ  Ａｓｓｉｓｔｅｄ方式のＧＰＳ測位処理を行う。
図４は、本実施形態に係る測位処理の流れを示すシーケンス図である。
【００３９】
ステップＳ１において、携帯電話機１は、ＣＤＭＡの通信システムの近隣基地局をサーチして信号強度を取得（ＰＰＭ：Ｐｉｌｏｔ  Ｐｈａｓｅ  Ｍｅａｓｕｒｅｍｅｎｔ）する。なお、このとき、携帯電話機１は、ＰＰＭを実施しながら、所定周期の監視タイミングになると、ＰＰＭを中断してＣＤＭＡのページングチャネルを間欠受信する。
【００４０】
ステップＳ２において、携帯電話機１は、ＬＴＥの通信システムへ切り替えると、ステップＳ１のＰＰＭの結果を、ＬＴＥの基地局を介して測位サーバへ送信すると共に、衛星捕捉補助情報（Ａｃｑｕｉｓｉｔｉｏｎ  Ａｓｓｉｓｔａｎｃｅ（ＡＡ）データ）を要求する。
【００４１】
ステップＳ３において、測位サーバは、ステップＳ２で受信したＰＰＭの結果に基づいて携帯電話機１の概算位置を特定すると、この概算位置から捕捉可能なＧＰＳ衛星の情報を含むＡＡデータを、ＬＴＥの基地局を介して携帯電話機１へ送信する。
【００４２】
ステップＳ４において、携帯電話機１は、ステップＳ３で受信したＡＡデータに基づいてＧＰＳ衛星をサーチする。
【００４３】
ステップＳ５において、携帯電話機１は、ステップＳ４のＧＰＳ衛星のサーチが成功したか否かを判定する。この判定がＹＥＳの場合、処理はステップＳ９に移り、判定がＮＯの場合、処理はステップＳ６に移る。
【００４４】
ステップＳ６において、携帯電話機１は、ＡＡデータよりも詳細な補助情報であるＳＡ（Ｓｅｎｓｉｔｉｖｉｔｙ  Ａｓｓｉｓｔａｎｃｅ）データを、ＬＴＥの基地局を介して測位サーバへ要求する。
【００４５】
ステップＳ７において、測位サーバは、携帯電話機１の概算位置から捕捉可能なＧＰＳ衛星の詳細情報を含むＳＡデータを、ＬＴＥの基地局を介して携帯電話機１へ送信する。
【００４６】
ステップＳ８において、携帯電話機１は、ステップＳ７で受信したＳＡデータに基づいてＧＰＳ衛星をサーチする。
【００４７】
ステップＳ９において、携帯電話機１は、ＣＤＭＡの通信システムへ切り替えると、再度ＰＰＭを実施し、最新の基地局信号強度を取得する。
【００４８】
ステップＳ１０において、携帯電話機１は、ＬＴＥの通信システムへ切り替えると、ステップＳ４又はステップＳ８のサーチ結果、及びステップＳ９のＰＰＭの結果を、ＬＴＥの基地局を介して測位サーバへ送信すると共に、測位演算を要求する。
【００４９】
ステップＳ１１において、測位サーバは、ステップＳ１０で受信したサーチ結果又はＰＰＭの結果に基づいて測位演算を行う。
ここで、携帯電話機１がＧＰＳ衛星をサーチした際に、４個以上の衛星を捕捉できた場合には、最も高い精度が期待できるＧＰＳ  Ｆｉｘモードの測位が行われるが、捕捉できなかった場合には、基地局からの電波の遅延時間を利用するＨｙｂｒｉｄ  Ｆｉｘモードや、ＡＦＬＴ  Ｆｉｘモード、さらには、基地局の位置情報を用いるＳｅｃｔｏｒ  Ｆｉｘモードの測位が行われる。
【００５０】
ステップＳ１２において、測位サーバは、ステップＳ１０の演算結果である携帯電話機１の位置情報を、ＬＴＥの基地局を介して携帯電話機１へ送信する。
【００５１】
このように、測位処理部３２は、ＧＰＳ測位処理のうち、ＰＰＭ時には、ＣＤＭＡの通信システムを選択し（第１のＣＤＭＡ通信フェーズ）、衛星探索時及び位置計算時には、ＬＴＥの通信システムを選択する（ＬＴＥ通信フェーズ）。そして、通信処理部３１は、衛星探索時に高速クロック生成部８１による計時を継続し、続くＰＰＭ時に、記憶部７０に記憶されているＣＤＭＡの通信システムの時刻情報に対して、ＬＴＥの通信システムでの通信中に計時された時間を用いて補正する（第２のＣＤＭＡ通信フェーズ）。
【００５２】
着信処理部３３は、３ＧＰＰに規定されているＣＳ（Ｃｉｒｃｕｉｔ  Ｓｗｉｔｃｈｅｄ）−Ｆａｌｌｂａｃｋの機能により、ＬＴＥの通信システムでの通信処理中に、このＬＴＥの通信システムを介してＣＤＭＡの通信システムからの着信通知を受信すると、このＣＤＭＡの通信システムを選択して着信動作を行う。
【００５３】
このとき、通信処理部３１は、記憶部７０に記憶されている状態フラグを参照する。ＧＰＳ測位処理が実行中であれば、高速クロック生成部８１が動作しているため時刻情報の誤差が小さく、ハンドオフが可能と判断できる。また、ＰＰＭが実施されていれば、近隣基地局の信号強度が取得されているので、信号強度が強い基地局を優先することにより高確率でハンドオフが成功する。そこで、通信処理部３１は、着信処理部３３によりＣＤＭＡの通信システムが選択され、当該システムへの切り替えが必要となったとき、ＧＰＳ測位処理が実行中である場合、ＣＤＭＡの通信システムとの同期処理を行うことなく、記憶部７０により記憶されている信号強度が強い基地局を優先してハンドオフを試みる。一方、ＧＰＳ測位処理が実行中でない場合、通信処理部３１は、ＣＤＭＡの通信システムとの同期処理を行う。
【００５４】
図５は、本実施形態に係るＧＰＳ測位処理を実行中の、第１のＣＤＭＡ通信フェーズにおける通信処理部３１の処理を示すフローチャートである。
【００５５】
ステップＳ２１において、通信処理部３１は、ＧＰＳ測位処理におけるＰＰＭを実施するため、ＣＤＭＡの通信システムを捕捉する。
【００５６】
ステップＳ２２において、通信処理部３１は、ステップＳ２１で捕捉したＣＤＭＡの通信システムの周波数チャネル（以下、ＣＤＭＡ＿ＣＨ）を記憶部７０に記憶する。
【００５７】
ステップＳ２３において、通信処理部３１は、状態フラグを「ＰＰＭ中」に変更して記憶部７０に記憶する。
【００５８】
ステップＳ２４において、通信処理部３１は、ＰＰＭを開始し、近隣基地局の信号強度を順次、記憶部７０に記憶していく。
【００５９】
ステップＳ２５において、通信処理部３１は、ＣＤＭＡの通信システムにおいて所定の周期でページングチャネルを監視し、着信があるか否かを判定する。この判定がＹＥＳの場合、処理はステップＳ２７に移り、判定がＮＯの場合、処理はステップＳ２６に移る。
【００６０】
ステップＳ２６において、通信処理部３１は、近隣基地局の信号強度を取得し終えたか否か、すなわちＰＰＭの終了判定を行い、終了しない場合、ステップＳ２４〜Ｓ２６を繰り返す。
【００６１】
ステップＳ２７において、通信処理部３１は、ステップＳ２５で検出した着信へ応答するため、ＧＰＳ測位処理を中断させ、利用中であるＣＤＭＡの通信システムにおける着信動作へ移行する。
【００６２】
図６は、本実施形態に係るＧＰＳ測位処理を実行中の、ＬＴＥ通信フェーズにおける通信処理部３１の処理を示すフローチャートである。
【００６３】
ステップＳ３１において、通信処理部３１は、状態フラグを「ＧＰＳ測位中」に変更して記憶部７０に記憶する。
【００６４】
ステップＳ３２において、通信処理部３１は、測位サーバとのデータ通信を開始するために、ＬＴＥの通信システムへ切り替える。
【００６５】
ステップＳ３３において、通信処理部３１は、ＣＤＭＡの通信システムでの計時を停止し、停止時刻情報（ＣＤＭＡ＿ＥＮＤ＿ＴＩＭＥ）を記憶部７０に記憶する。
【００６６】
ステップＳ３４において、通信処理部３１は、ＬＴＥの通信システム動作用の高速クロック生成部８１により、ＬＴＥの通信システムの通信時間、すなわちＣＤＭＡの通信システムの停止時間の計時（ＣＤＭＡ＿ＴＩＭＥ＿ＣＮＴ）を開始する。
【００６７】
ステップＳ３５において、通信処理部３１は、ＬＴＥにより測位サーバとの通信（図４のステップＳ２〜Ｓ３又はステップＳ６〜Ｓ７）を行う。
【００６８】
ステップＳ３６において、通信処理部３１は、ＧＰＳ衛星のサーチを開始し、サーチ結果を順次、記憶部７０に記憶していく。
【００６９】
ステップＳ３７において、通信処理部３１は、ＣＳ−Ｆａｌｌｂａｃｋの機能により、ＣＤＭＡの通信システムにおける着信があるか否かを判定する。この判定がＹＥＳの場合、処理はステップＳ３９に移り、判定がＮＯの場合、処理はステップＳ３８に移る。
【００７０】
ステップＳ３８において、通信処理部３１は、ＧＰＳ衛星のサーチを終了したか否かを判定し、終了していない場合、ステップＳ３６〜Ｓ３８を繰り返す。
【００７１】
ステップＳ３９において、通信処理部３１は、状態フラグが「ＧＰＳ測位中」であるか否かを判定する。この判定がＹＥＳの場合、通信処理部３１は、後述の着信処理（図８）を実行し、判定がＮＯの場合、処理はステップＳ４０に移る。
【００７２】
ステップＳ４０において、通信処理部３１は、ＧＰＳ測位中でないため、例えばスリープ動作等のために低速クロック生成部８２が利用されて時刻情報に誤差が生じる可能性と、ＰＰＭにより近隣基地局の信号強度情報を得られないことから、ハンドオフ先の基地局を適切に選択するのが困難と判断する。そこで、通信処理部３１は、ＣＤＭＡの通信システムの再同期を行った後、着信処理部３３による着信動作へ移行する。
【００７３】
図７は、本実施形態に係るＧＰＳ測位処理を実行中の、第２のＣＤＭＡ通信フェーズにおける通信処理部３１の処理を示すフローチャートである。
【００７４】
ステップＳ４１において、通信処理部３１は、記憶部７０に記憶されているＣＤＭＡ＿ＥＮＤ＿ＴＩＭＥを、ＣＤＭＡ＿ＴＩＭＥ＿ＣＮＴにより補正し、ＣＤＭＡの通信システムにおける時刻情報を生成する。
【００７５】
ステップＳ４２において、通信処理部３１は、ＣＤＭＡの通信システムによる通信処理へ移行し、記憶部７０に記憶されている周波数チャネルＣＤＭＡ＿ＣＨに切り替える。
【００７６】
ステップＳ４３において、通信処理部３１は、状態フラグを「ＰＰＭ中」に変更して記憶部７０に記憶する。
【００７７】
ステップＳ４４において、通信処理部３１は、ＰＰＭを開始し、近隣基地局の信号強度を順次、記憶部７０に記憶していく。
【００７８】
ステップＳ４５において、通信処理部３１は、ＣＤＭＡの通信システムにおいて所定の周期でページングチャネルを監視し、着信があるか否かを判定する。この判定がＹＥＳの場合、処理はステップＳ４７に移り、判定がＮＯの場合、処理はステップＳ４６に移る。
【００７９】
ステップＳ４６において、通信処理部３１は、近隣基地局の信号強度を取得し終えたか否か、すなわちＰＰＭの終了判定を行い、終了しない場合、ステップＳ４４〜Ｓ４６を繰り返す。
【００８０】
ステップＳ４７において、通信処理部３１は、ステップＳ４５で検出した着信へ応答するため、ＧＰＳ測位処理を中断させ、利用中であるＣＤＭＡの通信システムにおける着信動作へ移行する。
【００８１】
図８は、本実施形態に係るＧＰＳ測位処理中のＬＴＥ通信フェーズにおける着信処理を示すフローチャートである。
【００８２】
ステップＳ５１において、通信処理部３１は、記憶部７０に記憶されているＣＤＭＡ＿ＥＮＤ＿ＴＩＭＥを、ＣＤＭＡ＿ＴＩＭＥ＿ＣＮＴにより補正し、ＣＤＭＡの通信システムにおける時刻情報を生成する。
【００８３】
ステップＳ５２において、通信処理部３１は、ＣＳ−Ｆａｌｌｂａｃｋ機能による着信通知時に、周波数チャネルの指定があったか否かを判定する。この判定がＹＥＳの場合、処理はステップＳ５３に移り、判定がＮＯの場合、処理はステップＳ５４に移る。
【００８４】
ステップＳ５３において、通信処理部３１は、ＣＤＭＡの通信システムによる通信処理へ移行し、指定された周波数チャネルへ切り替える。
【００８５】
ステップＳ５４において、通信処理部３１は、ＣＤＭＡの通信システムによる通信処理へ移行し、記憶部７０に記憶されている周波数チャネルＣＤＭＡ＿ＣＨへ切り替える。
【００８６】
ステップＳ５５において、通信処理部３１は、ＣＳ−Ｆａｌｌｂａｃｋ機能による着信通知時に、基地局（ＰＮ符号）の指定があったか否かを判定する。この判定がＹＥＳの場合、処理はステップＳ５６に移り、判定がＮＯの場合、処理はステップＳ５９に移る。
【００８７】
ステップＳ５６において、通信処理部３１は、指定された基地局へのハンドオフを試みる。
【００８８】
ステップＳ５７において、通信処理部３１は、ハンドオフに成功したか否かを判定する。この判定がＹＥＳの場合、処理はステップＳ５８に移り、判定がＮＯの場合、処理はステップＳ５９に移る。
【００８９】
ステップＳ５８において、通信処理部３１は、指定された基地局へのハンドオフに成功したので、着信処理部３３による着信動作へ移行する。
【００９０】
ステップＳ５９において、通信処理部３１は、ＰＰＭにより取得した信号強度が最も強い基地局へハンドオフを試みる。
【００９１】
ステップＳ６０において、通信処理部３１は、ハンドオフに成功したか否かを判定する。この判定がＹＥＳの場合、処理はステップＳ６１に移り、判定がＮＯの場合、処理はステップＳ６２に移る。
【００９２】
ステップＳ６１において、通信処理部３１は、ＣＤＭＡの基地局へのハンドオフに成功したので、着信処理部３３による着信動作へ移行する。
【００９３】
ステップＳ６２において、通信処理部３１は、ＰＰＭで信号強度を取得した全ての基地局へのハンドオフを試みたか否かを判定する。この判定がＹＥＳの場合、処理はステップＳ６３に移り、判定がＮＯの場合、処理はステップＳ６４に移る。
【００９４】
ステップＳ６３において、通信処理部３１は、ハンドオフに失敗したので、パイロットチャネルを捕捉し、ＣＤＭＡの通信システムへ再同期した後、着信処理部３３による着信動作へ移行する。
【００９５】
ステップＳ６４において、通信処理部３１は、ＰＰＭを実施した近隣基地局のうち、まだハンドオフを試みていない基地局が残っているので、この中で信号強度が最も強い基地局へハンドオフを試み、ステップＳ６０へ戻る。
【００９６】
以上のように、本実施形態によれば、携帯電話機１は、ＬＴＥの通信システムにおいて高速クロック生成部８１が用いられている場合に、ＣＤＭＡの通信システムへ復帰するとき、時刻情報を精度良く補正できる。したがって、携帯電話機１は、補正された時刻情報に基づいた同期タイミングにより、ＬＴＥからＣＤＭＡへ、利用する通信システムを迅速に切り替えられる。
【００９７】
さらに、携帯電話機１は、ＣＤＭＡの通信システムにおいて捕捉していた周波数チャネル情報を記憶するので、ＬＴＥの通信システムからＣＤＭＡの通信システムへ復帰する際、この記憶されている周波数チャネルに基づいて容易にハンドオフが可能である。
【００９８】
特に、携帯電話機１は、ＧＰＳ測位中には、ＣＤＭＡとＬＴＥの通信システムを切り替える必要があるため、本発明が有効である。つまり、ＣＤＭＡの通信システムが停止状態のときも、ＬＴＥの通信システムでデータ通信やＧＰＳ衛星のサーチが実行され、高速クロック生成部８１が停止しないので、時刻情報を高精度に補正でき、ＣＤＭＡの通信システムへの再同期の処理を実行することなく、通信待ち受け状態へ迅速に復帰できる。
【００９９】
さらに、携帯電話機１は、ＧＰＳ測位処理において実施されるＰＰＭにより、近隣基地局の信号強度を取得するので、ＬＴＥの通信システムからＣＤＭＡの通信システムへ復帰する際、この記憶されている信号強度が高い基地局を優先してハンドオフを試み、効率的に通信待ち受け状態へ復帰できる。
【０１００】
また、携帯電話機１は、ＧＰＳ測位中にＣＳ−Ｆａｌｌｂａｃｋ機能によるＣＤＭＡの通信システムからの着信通知を受けた場合にも、ＣＤＭＡの通信システムへの切り替え時間を短縮できるので、着信応答までの時間が短縮される。
【０１０１】
さらに、携帯電話機１は、ＧＰＳ測位処理が実行中であるか否かを状態フラグにより判別できるので、着信通知を受けた際に、再同期を行わずにハンドオフするか、再同期を行うかを容易に決定し、成功率の高い方法でＣＤＭＡの通信システムへ切り替えることができる。
【０１０２】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１０３】
本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【０１０４】
１  携帯電話機（無線端末装置）
１１  操作部
２１  表示部
３０  制御部
３１  通信処理部
３２  測位処理部
３３  着信処理部
４０  通信部
４１  メインアンテナ
５０  ＧＰＳ受信部
５１  ＧＰＳアンテナ
６０  音声制御部
７０  記憶部
８１  高速クロック生成部
８２  低速クロック生成部
【図１】
2012175538.tif 000003
【図２】
2012175538.tif 000004
【図３】
2012175538.tif 000005
【図４】
2012175538.tif 000006
【図５】
2012175538.tif 000007
【図６】
2012175538.tif 000008
【図７】
2012175538.tif 000009
【図８】
2012175538.tif 000010